(57)【特許請求の範囲】
【請求項１】
商品を保冷可能な商品収納室の側面に扉により開閉される商品取り出し口を有し、該商品取り出し口を形成する金属枠が左右に立設した縦フレームとこの縦フレーム間に架設した横フレームとによって構成されるショーケースにおいて、
前記横フレームを樹脂製部材で形成されたフレーム枠の内部に被包するとともに、該フレーム枠の内部のうち庫外側に該横フレームを配置し、該フレーム枠の内部に該横フレームと該商品収納室とを離隔する中空部を設けた
ことを特徴とするショーケース。
【発明の詳細な説明】
【０００１】
【発明の属する技術分野】
本発明は商品取り出し口を形成する枠が金属製となっている商品保冷用のショーケースに関するものである。
【０００２】
【従来の技術】
従来から、冷蔵専用又は冷蔵・温蔵兼用の商品収納室の扉を含む四側面、あるいはこれに天面を加えた五面をガラス板で構成し、商品収納室内のコールド商品等が外から見えるようにしたショーケースが一般的に使用されている。かかるショーケースにおいては、扉によって開閉される商品取り出し口の枠が、それぞれ金属製の左右の縦フレームと扉側上方の横フレームとを門型に組んで形成される。各縦フレームは左右両側のガラス板の前端部を塩ビ製枠材等を介して支持し、横フレームは天板の前端部を支持する。
【０００３】
この横フレームの支持構造を図５を参照して説明する。図中、５０は扉、５１は扉５０に付設した金属薄板、５２はマグネットを内包させた扉パッキン、５３は扉パッキン５２を固定させる扉パッキン固定部材である。上記横フレーム４０は、図示はしないが上記縦フレーム上部間に架設され、扉パッキン固定部材５３をネジ止め等によって支持している。
【０００４】
【発明が解決しようとする課題】
しかしながら、従来のショーケースでは、扉側上方の横フレーム４０の外側面が外部に露出し外気に直接触れる構造となっていた。そのため、横フレーム４０の外側面に結露が生じやすいという問題があった。またこれを防止するため、従来は横フレーム４０の内側面上に防露ヒータ４１を設置していたが、これによりショーケースの部品コストが上がったり、組み付け工数が増えたり、あるいはランニングコストが上昇するといった弊害が生じた。
【０００５】
本発明は、以上のような問題点に鑑みてなされたものであり、その目的は、扉側上方の横フレームに結露が生じにくく、コスト的にも有利なショーケースを提供することにある。
【０００６】
【課題を解決するための手段】
本発明に係るショーケースは、商品を保冷可能な商品収納室の側面に扉により開閉される商品取り出し口を有し、該商品取り出し口を形成する金属枠が左右に立設した縦フレームとこの縦フレーム間に架設した横フレームとによって構成されるショーケースにおいて、前記横フレームを樹脂製部材で形成されたフレーム枠の内部に被包するとともに、該フレーム枠の内部のうち庫外側に該横フレームを配置し、該フレーム枠の内部に該横フレームと該商品収納室とを離隔する中空部を設けた構造となっている。本発明によれば、中空部が商品収納室内からの横フレームへの熱伝導を遮断するよう作用する。これにより、横フレームの内外に発生する結露の発生が抑制される。
【０００８】
尚、商品収納室は冷蔵／温蔵切り替えタイプのものを含む。
【００１０】
【発明の実施の形態】
図１は本発明の一実施形態に係るショーケースの斜視図である。図２及び図３はこのショーケースの特徴的構成部分等を略示するもので、図２は図１のＡ−Ａ線に沿う部分断面図、図３は後述する扉側上方の横フレーム及びフレーム枠の分解斜視図である。ショーケース１は上方の商品収納室２と下方の機械室３とに区分され、機械室３内には商品収納室２内を冷却するための冷却ユニット（図示せず）が配設される。商品収納室２は、それぞれガラス板によって構成される、前方の透明扉２ａと左右及び後方の透明側板２ｂ，２ｃ，２ｄと上方の透明天板２ｅとによって画設される。透明側板２ｂ，２ｃ，２ｄの各側端部は、扉側左右及び後方側左右に立設される樹脂製の縦枠部材２ｓの縦溝にはめ込まれて保持される。各縦枠部材２ｓ内には金属製の縦フレーム（図示せず）が芯材として挿通され、各縦フレームは機械室３を成すフレーム枠体（図示せず）に連結され支持される。
【００１１】
透明扉２ａ側左右の上記縦フレーム上部間には、図２に示す金属製で断面Ｌ字形の横フレーム１０が架設され、横フレーム１０は、樹脂製部材としてのフレーム枠２０によって被包される。商品収納室２の透明天板２ｅの前端部は、この前端部を受け入れる天枠部材２ｔ及びフレーム枠２０を介して、横フレーム１０に支持される。門型に組まれた横フレーム１０と上記縦フレームとは商品収納室２の前方の商品取り出し口の枠を実質的に形成する。図２において、符号３０は扉パッキンであり、扉パッキン３０前端部内に入れたマグネット３１と扉２ａ側に固定したメタル薄板３２との吸着によって扉２ａは商品収納室２の商品取り出し口を密閉する。また扉パッキン３０は後端部が扉パッキン固定部材３３に固定され、扉パッキン固定部材３３は、フレーム枠２０の下方に突出する突出部２２にネジ止め等によって固定されて支持される。
【００１２】
フレーム枠２０は、内部に横フレーム１０を余裕をもって収納し得る中空部２１が形成される概ね角筒状の部材であり、横フレーム１０は外側面１１ａ，１１ｂが中空部２１の前面２１ａ及び上面２１ｂに接するよう中空部２１内に収納される。従って、横フレーム１０の外側面１１ａ，１１ｂは庫外Ｏに晒されず、この外側面１１ａ，１１ｂ上には結露がはほとんど生じない。また、横フレーム１０の内側面１２ａ，１２ｂ側には中空部２１が残り、この中空部２１はフレーム１０の内側面１２ａ，１２ｂと商品収納室２内との間に位置する。そのため中空部２１は商品収納室２内から横フレーム１０への熱伝導を遮断するように働き、これによって横フレーム１０の外側面１１ａ，１１ｂ上における結露の発生が一層確実に抑制されると共に、横フレーム内側面１２ａ，１２ｂ上における結露の発生も抑えられる。
【００１３】
以上の実施形態ではフレーム枠２０内に中空部２１が形成された例を挙げたが、本発明には、図４の断面図に示す如く（図２と共通する部分は同じ番号を付す。）、横フレーム１０’をフレーム枠２０’によって密に被覆する形態をも含み、かかる形態でも横フレーム１０’上の結露を有効に抑制することができる。
【００１４】
【発明の効果】
以上詳述したように、本発明に係るショーケースでは、扉側上方の横フレームを樹脂製部材で被包することにより、横フレームが直接外気に触れなくなるため、横フレーム上に結露が生じにくくすることができる。
【００１５】
また、横フレームと商品収納室内との間に来る樹脂製部品内に中空部を設けることにより、商品収納室から横フレームへの熱伝導が減少するため、これによって尚一層横フレーム上の結露の発生を抑制することができる。
【００１６】
更には、横フレーム上の結露を防ぐために従来要した防露ヒータが不要となるため、その分、ショーケースの部品点数及び組付け工数を低減できると共に、そのランニングコストも削減できるといった利点が得られる。
【図面の簡単な説明】
【図１】ショーケースの斜視図である。
【図２】図１のＡ−Ａ線に沿う部分断面図である。
【図３】横フレーム及びフレーム枠の分解斜視図である。
【図４】本発明の他の実施形態を示す図２と同様の断面図である。
【図５】従来のショーケースにおける扉側上方のフレーム等を示す部分断面図である。
【符号の説明】
１…ショーケース、２…商品収納室、２ａ…透明扉、２ｂ，２ｃ，２ｄ…透明側板、２ｅ…透明天板、３…機械室、１０，１０’…横フレーム、２０，２０’…フレーム枠、２１…中空部
【図１】
0003592154.tif 000002
【図２】
0003592154.tif 000003
【図３】
0003592154.tif 000004
【図４】
0003592154.tif 000005
【図５】
0003592154.tif 000006